(57)【要約】【課題】簡単な構成で隙間を塞いだり隙間の間隔を調整したりすることができ、設置場所に不都合があれば、何度も位置の変更が可能なドア用隙間調整具を提供する。【解決手段】ドア用隙間調整具１０は、ドアの下端と床との間の隙間を塞ぐ、不織布により形成された本体部１１と、本体部１１に引っ掛けて、本体部１１をドアの下部に設置するための突起部材１２とを備えている。不織布はフェルトとすることができる。突起部材１２は、突起部１２ｂが鉤状突起により形成された面ファスナーのフック面とすることができる。【選択図】図１
2014181458.tif 000002
【特許請求の範囲】
【請求項１】
ドアの下端と床との間の隙間を塞ぐ、不織布により形成された本体部と、
前記本体部に引っ掛けて、前記本体部を前記ドアの下部に設置するための突起部材とを備えたことを特徴とするドア用隙間調整具。
【請求項２】
前記突起部材は、鉤状突起が形成されている請求項１記載のドア用隙間調整具。
【請求項３】
前記本体部は、フェルトにより形成された請求項１または２記載のドア用隙間調整具。
【請求項４】
前記本体部には、下端から切れ込みが形成されている請求項１から３のいずれかの項に記載のドア用隙間調整具。
【発明の詳細な説明】
【技術分野】
【０００１】
本発明は、ドアの下方の隙間を塞いだり、調整したりして、居室内の温度の維持や調整を図ることができるドア用隙間調整具に関するものである。
【背景技術】
【０００２】
開き戸であるドアの下方には、ドアと床を摺動させないよう、隙間が設けられている。しかし、冬には冷気が、この隙間から暖房を効かせた居室内に侵入するので、住居人は暖房を付けていても、肌寒く感じるときがある。また、夏には冷房を効かせた居室から冷気が流れ出たり、居室内に暖気が侵入したりして、冷房の効果が薄れる。このような隙間風を防止するものとして、特許文献１，２に記載されたものが知られている。
【０００３】
特許文献１に記載のドア下部のすきま風防止具は、帯状となる本体布を二つ折にし、その下部にプリーツ布を縫着し、本体布の裏面に帯状ビニールを両面テープの片面で貼着し、もう片面の両面テープでドア下部に貼れるようにしたものである。
また、特許文献２に記載のドア用隙間風防止装置は、ドアを開閉した時の動作を上下方向の運動に変換して、ドア用隙間風防止装置の防風部材を下降させて、ドアの下端部と床との隙間を塞ぐものである。特許文献２では、防風部材の接触部材について、ゴムもしくは樹脂製、スポンジやフェルトもしくはブラシ・ビロード等の植毛部材が適していることが記載されている。
【先行技術文献】
【特許文献】
【０００４】
【特許文献１】特開平１０−１９６２４０号公報
【特許文献２】特開平１１−１５２９６８号公報
【発明の概要】
【発明が解決しようとする課題】
【０００５】
しかし、特許文献１に記載のドア下部のすきま風防止具では、ドアに貼り付けた両面テープの片面を、本体布の裏面の帯状ビニールに貼り付けることで、本体布をドアに固定しているため、本体布に繊維面を平らにする帯状ビニールが必要である。また、本体布をドアに固定した後に、隙間風が防ぎ切れず、貼り直しをしようとした場合には、両面テープの粘着面の粘着性が低下して、貼り直しの回数に制限がある。
【０００６】
特許文献２に記載のドア用隙間風防止装置では、ドアへの取り付け方法について詳細は記載されていないが、機械的な構造を有することからねじ止めなどのしっかりしたものによって固定されているものと思われる。従って、ドア用隙間風防止装置の固定位置を、何度も変更しようとすると、その度にねじ穴をドアに空けてしまうことになる。
【０００７】
そこで本発明は、簡単な構成で隙間を塞いだり隙間の間隔を調整したりすることができ、設置場所に不都合があれば、何度も位置の変更が可能なドア用隙間調整具を提供することを目的とする。
【課題を解決するための手段】
【０００８】
本発明のドア用隙間調整具は、ドアの下端と床との間の隙間を塞ぐ、不織布により形成された本体部と、前記本体部に引っ掛けて、前記本体部を前記ドアの下部に設置するための突起部材とを備えたことを特徴とする。
【０００９】
本発明のドア用隙間調整具は、突起部材に、不織布により形成された本体部を引っ掛けるだけなので、本体部の引っ掛け位置を変えるだけで、隙間を塞いだり隙間の間隔を調整したりすることができる。本体部への引っ掛けを解除すれば、何度でも、貼り直しをすることができる。また、不織布であれば、しなやか弾性を有しているため、ドアの開閉の際に本体部が床に摺動しても、本体部が撓むことで、強い抵抗感なくドアの開閉ができる。
【００１０】
前記突起部材は、鉤状突起が形成されたものであるのが望ましい。鉤状突起を有する突起部材が本体部の不織布にしっかり絡み付き、本体部を担持するため、突起部材に安定した保持力を発揮させることができる。
【００１１】
前記本体部が、フェルトにより形成されているのが望ましい。本体部が不織布でもフェルトにより形成されていると、腰がしっかりとした本体部とすることができる。従って、隙間風に流されて空隙ができることを防止できる。
【００１２】
前記本体部には、下端から切れ込みが形成されていると、切れ込みにより、本体部に隙間ができる。従って、この隙間から空気が逃げることで、ドアを閉める際の室内への加圧による抵抗や、ドアを開ける際の室内の減圧による抵抗を緩和することができる。
【発明の効果】
【００１３】
本発明は、本体部を不織布により形成して、突起部材により引っ掛けてドアの下部に設置することができるので、簡単な構成で隙間を塞いだり隙間の間隔を調整したりすることができ、本体部の設置場所に不都合があれば、何度も位置の変更が可能である。
【図面の簡単な説明】
【００１４】
【図１】本発明の実施の形態１に係るドア用隙間調整具を示す図である。
【図２】（Ａ）は図１に示すドア用隙間調整具の取り付けを説明するための斜視図、（Ｂ）は、ドア用隙間調整具の取り付けた状態を示す正面図である。
【図３】（Ａ）〜（Ｄ）は、図１に示すドア用隙間調整具の取り付け位置を説明するための図である。
【図４】本発明の実施の形態２に係るドア用隙間調整具を示す図である。
【発明を実施するための形態】
【００１５】
（実施の形態１）
本発明の実施の形態１に係るドア用隙間調整具を、図面に基づいて説明する。
図１に示すドア用隙間調整具１０は、開き戸としたドアの下端と床との間の隙間を塞ぐ本体部１１と、本体部１１をドアの下部に貼り付けるための突起部材１２とを備えたものである。
【００１６】
本体部１１は、帯状の不織布により形成されている。本実施の形態１では、不織布を、繊維を圧縮してシート状に形成したフェルトとしている。なお、フェルトは、毛繊維により形成されたもの他に、合成繊維により形成されたものも含まれる。
本体部１１には、下端から切れ込み１１ａが、長さ方向に沿って所定間隔ごとに形成されている。切れ込み１１ａは直線状に形成されている。
【００１７】
突起部材１２には、帯状に形成された基盤１２ａと、この基盤１２ａに立設され、不織布の繊維に先端部が絡む突起部１２ｂとを備えたものである。突起部１２ｂとしては、本実施の形態１では、鉤状突起である微小な逆Ｊ字状突起が形成されたフック面とループ面とにより構成された面ファスナーのフック面を使用している。なお、突起部材１２は、逆Ｊ字状突起の他に、突起部の先端部が、傘状や鋸刃状に形成された面ファスナーのフック面でも使用できる。
突起部材１２の裏面（本体部１１との貼付面側とは反対となる基盤のドア側の面）は、粘着面となっており、ドア用隙間調整具１０をドアに設置する前の状態では、剥離シートＳが貼り付けられている。
【００１８】
以上のように構成された本発明の実施の形態１に係るドア用隙間調整具１０の使用状態について、図面に基づいて説明する。
まず、図２（Ａ）に示すように、突起部材１２から剥離シートＳを剥がして粘着面を露出させ、ドアＤの下部に貼り付ける。突起部材１２を貼り付ける位置は、本体部１１全体がフェルトにより形成され、本体部１１のどこにでも引っ掛けることができるため、本体部１１の上部付近が位置しそうなところであれば、厳密である必要がない。
【００１９】
次に、図２（Ｂ）本体部１１を突起部材１２に引っ掛け取り付ける。本体部１１を突起部材１２に引っ掛ける位置は、隙間を完全に塞ぐ場合には、本体部１１の先端が床Ｆに接する位置としたり（図３（Ａ）参照）、先端部の切れ込み１１ａの中間までが床Ｆに接する位置としたり（図３（Ｂ）参照）、切れ込み１１ａ部分全体が床Ｆに接する位置としたり（図３（Ｃ）参照）することができる。また、隙間を少しだけ確保する場合には、本体部１１の先端が床Ｆから離れた位置とすることができる（図３（Ｄ））。
【００２０】
本体部１１を、不織布で形成することで、簡単に帯状とすることができるため、簡単にドアＤの幅に合わせて、長尺状とすることができる。そして、突起部材１２に、不織布により形成された本体部１１を引っ掛けるだけなので、図３（Ａ）から同図（Ｄ）に示すように、本体部１１の引っ掛け位置を変えるだけで、隙間を塞いだり隙間の間隔を調整したりすることができる。従って、簡単な構成で隙間を塞いだり隙間の間隔を調整したりすることができる。
よって、図３（Ａ）から同図（Ｃ）のように、本体部１１により完全に隙間を塞ぐと、夏では居室内から冷房による冷気が逃げたり、外から暖気が入り込んだりすることが防止でき、また、冬では居室内から暖房による暖気が逃げたり、外から冷気が入り込んだりすることが防止できるので、省エネルギー化を図ることができる。
また、図３（Ｄ）のように、本体部１１により隙間の間隔を少し開けて調整すれば、空気を居室内へ流入させたり、居室内から外へ流出させたりする度合いを調整することができるので、冬の暖房時の換気を行うことができ、その換気の度合いを調整することができる。
このようにして、ドア用隙間調整具１０は、居室内の空気の流入出を止めたり調整したりすることで、居室内の温度の維持や調整を図ることができる。
また、本体部１１への引っ掛けを解除すれば、何度でも、貼り直しをすることができるので、本体部１１の設置場所に不都合があれば、何度も位置の変更が可能である。
【００２１】
本体部１１を不織布により形成することで、不織布がしなやかな弾性を有しているため、ドアＤの開閉の際に、図３（Ａ）から同図（Ｃ）に示すように本体部１１が床Ｆに摺動しても、本体部１１が撓むことで、強い抵抗感なくドアＤの開閉ができる。
また、ドアＤの開閉時に、本体部１１を床Ｆに摺動させながら移動することで、本体部１１の撓みからの復帰力により本体部１１が床Ｆに押圧されながら移動するので、清掃具として機能するため、床Ｆに積もった塵埃の除去も期待できる。
また、不織布がフェルトで形成されているため、腰がしっかりとした本体部１１とすることができる。従って、隙間風に流されて、塞いだ隙間に空隙ができることを防止できる。
【００２２】
更に、本体部１１に、下端から切れ込み１１ａが形成されているため、切れ込み１１ａにより複数の小片が移動することで、ブラシやモップのような効果が得られるため、清掃具としての機能を向上させることができる。また、切れ込み１１ａにより本体部１１に隙間ができる。例えば、図３（Ａ）の場合には、本体部１１の先端が床Ｆに接触している状態なので、切れ込み１１ａにより多少先端部に乱れが生じるが、本体部１１は１枚の帯状板として機能する。図３（Ｂ）の場合では、本体部１１が、図３（Ａ）のときより、切れ込み１１ａの中間までが床Ｆに接する位置まで下降しているため、ドアＤの開閉によって、本体部１１の先端部に乱れができる。従って、この隙間から空気が逃げることで、ドアＤを閉める際の室内への加圧による抵抗や、ドアＤを開ける際の室内の減圧による抵抗を緩和することができる。更に、図３（Ｄ）の場合では、切れ込み１１ａ全体が床Ｆに接しているため、本体部１１と床Ｆとの接触面積を大きくすることができるので、清掃具として機能を大きく発揮させることができる。
【００２３】
ドアＤの開閉の際に、本体部１１が床Ｆに摺動して本体部１１が突起部材１２から剥がれようとしても、突起部材１２がしっかりと本体部１１に絡み付いているため、簡単には本体部１１が脱落しない。
【００２４】
（実施の形態２）
本発明の実施の形態２に係るドア用隙間調整具を、図面に基づいて説明する。
図４に示すように、ドア用隙間調整具１０ｘは、実施の形態１と同様に、本体部１１ｘと、突起部材１２ｘとを備えている。
本体部１１ｘは、帯状のフェルトにより形成されているが、下端からの切れ込み１１ｂが波型に形成されている。
【００２５】
突起部材１２ｘは、帯状の金属薄板により形成された基盤１２ｃと、基盤１２ｃから三角形の底辺を残して切り抜くことによりできる三角状の金属片である突起部１２ｄとから形成されている。突起部材１２ｘは、実施の形態１と同様に、裏面が粘着面となっており、剥離シートＳが貼り付けられている。
突起部材１２ｘに三角状の突起部１２ｄが形成されているため、ドアの下部に突起部材１２ｘを貼り付け、本体部１１ｘを突起部材１２ｘの斜め上方から、突起部１２ｄの差し込むようにして、本体部１１ｘを突起部材１２ｘに引っ掛ける。このときの本体部１１ｘの突起部材１２ｘへの取り付け位置は、図３（Ａ）から同図（Ｄ）と同様に、目的に応じて様々な位置とすることができる。
【００２６】
ドアの開閉のときには、本体部１１ｘが床と摺動して引きずられるが、三角状の突起部１２ｄが上方を向いており、突起部１２ｄから本体部１１ｘを脱落させるには反対の方向である。従って、ドアの開閉により、本体部１１ｘが引きずられても、本体部１１ｘを突起部１２ｄにしっかりと食い込ませることができるので、本体部１１ｘを突起部材１２ｘにしっかりと取り付けることができる。
【００２７】
本体部１１ｘの切れ込み１１ｂを波型とすることで、床との摺動の際に、塵埃との引っ掛かりを大きくすることができるので、より多くの塵埃を床から取り除くことができる。
【００２８】
以上、本実施の形態１，２に係るドア用隙間調整具を説明したが、本実施の形態１，２に限定されるものではない。例えば、実施の形態１の本体部１１に実施の形態２の突起部材１２ｘを組み合わせたり、実施の形態２の本体部１１ｘに実施の形態１の突起部材１２を組み合わせたりすることができる。また、突起部材は、実施の形態１では面ファスナーのフック面とし、実施の形態２では三角形状の金属片としているが、不織布により形成された本体部に引っ掛けてドアの下部に取り付けることができる突起であれば、他のものでもよい。
【産業上の利用可能性】
【００２９】
本発明のドア用隙間調整具は、家庭のドアやオフィスのドアなどの各種の開き戸に好適である。
【符号の説明】
【００３０】
１０，１０ｘ  ドア用隙間調整具
１１，１１ｘ  本体部
１１ａ，１１ｂ  切れ込み
１２，１２ｘ  突起部材
１２ａ，１２ｃ  基盤
１２ｂ，１２ｄ  突起部
Ｄ  ドア
Ｆ  床
Ｓ  剥離シート
【図１】
2014181458.tif 000003
【図２】
2014181458.tif 000004
【図３】
2014181458.tif 000005
【図４】
2014181458.tif 000006